(57)【特許請求の範囲】
【請求項１】
携帯電話機に於いて、
音声を含む通話用の情報の通信を行うための通話用通信手段と、
上記通話情報以外で、且つ表示用の画像を含む情報の通信を行うための情報用通信手段と、
電話機本体に設けられ、上記通話用の情報を表示する第１の表示手段と、
上記表示用の画像を含む情報の詳細を拡大光学部により拡大して表示する第２の表示手段と、
上記電話機本体から着脱可能で、文字入力や指示情報を入力するための操作手段と、
この操作手段と上記電話機本体間で情報を送受信する送受信手段と、
を具備することを特徴とする携帯電話機。
【請求項２】
上記第２の表示手段は、その表示部面が上記電話機本体内の取付部に回動可能に設けられ、
上記操作手段が上記電話機本体に装着されている場合は上記第２の表示手段を該電話機本体に収納し、上記操作手段が上記電話機本体から離脱される場合には上記表示部面を回動して表示可能な状態位置に設定する構造手段を更に具備する
ことを特徴とする請求項１に記載の携帯電話機。
【請求項３】
上記第２の表示手段は、上記電話機本体内に設けられた投影表示部と、上記電話機本体内の取付部に回動可能に設けられて上記該投影表示部と対峙した状態に設定可能な拡大反射鏡部とを有して構成され、
上記構造手段は、上記操作手段が上記電話機本体に装着されている場合は上記拡大反射鏡部を上記電話機本体内に折り畳んで収納し、上記操作手段が上記電話機本体から離脱されている場合は上記拡大反射鏡部面を上記投影表示部と対峙した状態の位置に設定することを特徴とする請求項２に記載の携帯電話機。
【請求項４】
上記第２の表示手段は、表示部と、該表示部と対峙した上記拡大光学部で構成され、
上記構造手段は、上記操作手段が上記電話機本体に装着されている場合には上記表示部と拡大光学部とを上記電話機本体内に折り畳んで収納し、上記操作手段が上記電話機本体から離脱されている場合には上記表示部の表示面と拡大光学部の表面が上記電話機本体の表面から所定角をなして表示可能な状態位置に設定することを特徴とする請求項２に記載の携帯電話機。
【請求項５】
上記第２の表示手段は、表示部と、該表示部と対峙した上記拡大光学部で構成され、上記操作手段が上記電話機本体に装着される場合には上記拡大光学部を上記電話機本体に収納し、上記操作手段が上記電話機本体から離脱されている場合には上記拡大光学部を上記表示部の表示面から所定間隔離れた表示状態位置に設定することを特徴とする請求項１に記載の携帯電話機。
【請求項６】
上記電話機本体は、上記操作手段が該電話機本体の表面側に装着された第１の装着位置と、上記操作手段が上記電話機本体から離脱された状態である該電話機本体の背面側に装着された第２の装着位置と、を有することを特徴とする請求項１に記載の携帯電話機。
【請求項７】
上記操作手段は２つの水平カーソル矢印方向キーを有し、
上記第２の装着位置に上記操作手段が装着されたことを検出する手段と、
上記操作手段の上記２つの水平カーソル矢印方向キーのコード割当て機能の交換処理手段と、
上記第２の装着位置に上記操作手段が装着された際に上記検出手段の信号により該コード割当て機能を交換して動作するコード割当て交換手段と、
を更に具備することを特徴とする請求項６に記載の携帯電話機。
【請求項８】
上記電話機本体に対して上記操作手段の装着の有無を検出する装着検出手段と、
上記操作手段のそれぞれの入力キーを異なる複数の機能動作に関連させて割り当てたファンクションキー手段と、
上記装着検出手段の信号によりテキスト入力キー割当てからファンクション入力キー割当てを切換える選択手段と、
を更に具備することを特徴とする請求項１に記載の携帯電話機。
【請求項９】
上記電話機本体から上記操作手段を着脱する際の着脱の有無を検出する着脱検出手段と、
上記着脱検出手段の信号に基づいて上記第１の表示手段及び第２の表示手段の表示駆動の切換えを行う切換え手段と、
を更に具備することを特徴とする請求項１に記載の携帯電話機。
【請求項１０】
上記電話機本体から上記操作手段を着脱する際の着脱の有無を検出する着脱検出手段と、
該着脱検出手段の信号に基いて上記情報用通信手段の通信手続き処理を開始若しくは終了する手段と、
を具備することを特徴とする請求項１に記載の携帯電話機。
【請求項１１】
上記操作手段にてキー入力された文字データを上記操作手段から上記電話機本体へ転送した後、そのデータをテキストに変換するテキスト変換手段と、
文章入力時の一部のみを記録する一時メモリと全ての文章を記録する全文章メモリを併せ持った文章編集記録手段と、
を具備し、
上記第１の表示手段は上記一時メモリのデータを、上記第２の表示手段は上記全文章メモリのデータを、同時に表示することを特徴とする請求項１に記載の携帯電話機。
【請求項１２】
上記送受信手段は、
上記操作手段から送信される信号の強度を検知する電波強度検知手段と、
所定の臨界電波強度を指示する臨界電波強度指示手段と、
上記電波強度検知手段からの出力信号と上記臨界電波強度指示手段の出力信号の強度を比較する電波強度比較手段と、
上記電波強度比較手段にて、上記電波強度検知手段からの出力信号の強度が上記臨界電波強度指示手段からの出力信号の強度より弱い場合に、警告を発する警報手段と、
を備えることを特徴とする請求項１に記載の携帯電話機。
【請求項１３】
上記操作手段は、その操作面の背面側に上記第２の表示手段への指示操作を行うための静電容量利用入力手段と、上記静電容量利用入力手段の信号を転送用信号に変換する変換手段と、を備え、
上記電話機本体は、上記変換手段で変換された上記転送用信号を上記送受信手段により転送し、上記第２の表示手段の指示操作処理を行う指示操作処理手段と、を備えることを特徴とする請求項１に記載の携帯電話機。
【請求項１４】
上記操作手段は、その操作面の背面側に上記第２の表示手段の指示操作を行うための十字操作キー手段と、この十字操作キー手段から出力される信号を転送用信号に変換する変換手段と、を備え、
上記電話機本体は、上記変換手段で変換された上記転送用信号を上記送受信手段により転送し、上記第２の表示手段の指示操作処理を行う指示操作処理手段と、を備えることを特徴とする請求項１に記載の携帯電話機。
【請求項１５】
上記操作手段は、バーコードを読み取るバーコードリーダ手段と、該バーコードリーダ手段で読み取られた読み取り信号情報を転送用信号に変換する変換手段と、を備え、
上記電話機本体は、上記変換手段で変換された上記転送用信号を、上記送受信手段にて上記電話機本体に転送し、該転送用信号をバーコード信号としてデコード処理するデコード手段と、を備えることを特徴とする請求項１に記載の携帯電話機。
【請求項１６】
上記操作手段は、光学マウス手段と、上記操作手段の動きに応じた距離情報信号を転送用信号に変換する変換手段と、を備え、
上記電話機本体は、上記変換手段で変換された上記転送用信号を、上記送受信手段にて転送し、距離情報信号としてデコードして上記第２の表示手段の操作処理を行う手段と、を備えることを特徴とする請求項１に記載の携帯電話機。
【請求項１７】
上記第２の表示手段は、表示部と、該表示部と対峙した前記拡大光学部で構成され、
前記拡大光学部が上記表示部の表示面から所定間隔離れた表示状態位置に設定された状態で、前記走査手段が着脱可能であることを特徴とする請求項１に記載の携帯電話機。
【発明の詳細な説明】
【０００１】
【発明の属する技術分野】
本発明は携帯電話機に関し、より詳細には、操作キーを着脱可能な携帯電話機の改良に関するものである。
【０００２】
【従来の技術】
従来より、拡大表示部を有した携帯電話機の技術は、例えば米国特許第５，０４８，０７７号（ＲＥＦＬＥＣＴＩＯＮ  ＴＷＣＨ）や米国特許第５，９７０，４１８号（ＩＮＴＥＲＮＡＴＩＯＮＡＬ  ＢＵＳＩＮＥＳＳ  ＭＡＣＨＩＮＥＳ）等が知られている。
【０００３】
また、携帯電話機の操作キーを着脱する技術としては、例えば、特開平０６−２７６２６５号公報や特開平０９−３２１８４８号公報等に記載されている。これらの公報には、操作キーの着脱の構成が示されており、着脱の部分に表示部が設けられている。しかしながら、電話機本体に拡大表示部は存在せず、拡大表示を利用するための操作キーとの連係機能や拡大表示の構成は考慮されていない。
【０００４】
【発明が解決しようとする課題】
近年、携帯電話機の利用は通話のみならず、インターネットホームページ閲覧等の情報データ入手手段としても用いられており、表示用にＰＤＡ（Ｐｅｒｓｏｎａｌ  Ｄｉｇｉｔａｌ  Ａｓｓｉｓｔａｎｔ）等の携帯型情報機器を携帯電話機に接続して使用されている。その場合、携帯電話機が通信モデムとして使われている。
【０００５】
一方で、拡大表示部が組み込まれた携帯電話機も開発されている。しかしながら、操作者が手で装置を保持した状態で、拡大表示部を見ながらキーボードにて文字入力操作や閲覧用ブラウザの指示操作を行う場合に、一般的な携帯電話機本体に設けられているキーボードの位置では、キー釦が見えないという不具合がある。更に、キー釦を操作するための手の指の位置が適した位置にあてがうことができず、操作し難いといった不具合がある。
【０００６】
上述した点を考慮すると、望まれる使用スタイルとしては、携帯電話機を一方の手で保持し、拡大表示を見ながら、もう一方の手でリモートコントローラ（リモコン）を持つようにして、キー入力等の操作指示をすることが考えられる。
【０００７】
また、画面が大きく見やすい表示である、と実感できる携帯電話機を実現するには、拡大表示用の光学系の構成サイズが大きくなりがちである。加えて、拡大表示部の位置は、電話機を使用する一般スタイルの、機器本体上部付近のスピーカ部に耳をあてがう通常のデザインを考えると、操作キー辺りに表示部を設けて閲覧できるスタイルが望ましい。
【０００８】
更に、通話用に使用する場合と情報閲覧用に使用する場合では、携帯電話機の使用スタイルが異なる。また、機器の持ち運びには、モバイルを意識したコンパクトな一体型の所持スタイルが望ましいものとなっている。
【０００９】
したがって、本発明は上記実状に鑑みてなされたものであり、その目的は、入力操作を行う操作キーが見難くなること無く操作指示が可能であり、電話機の使用時のスタイルを大きく変えることなく、且つ装置が大型化することのない携帯電話機を提供することである。
【００１０】
【課題を解決するための手段】
すなわち、請求項１に記載の発明は、携帯電話機に於いて、音声を含む通話用の情報の通信を行うための通話用通信手段と、上記通話情報以外で、且つ表示用の画像を含む情報の通信を行うための情報用通信手段と、電話機本体に設けられ、上記通話用の情報を表示する第１の表示手段と、上記表示用の画像を含む情報の詳細を拡大光学部により拡大して表示する第２の表示手段と、上記電話機本体から着脱可能で、文字入力や指示情報を入力するための操作手段と、この操作手段と上記電話機本体間で情報を送受信する送受信手段と、を具備することを特徴とする。
【００１１】
請求項２に記載の発明は、請求項１に於いて、上記第２の表示手段は、その表示部面が上記電話機本体内の取付部に回動可能に設けられ、上記操作手段が上記電話機本体に装着されている場合は上記第２の表示手段を該電話機本体に収納し、上記操作手段が上記電話機本体から離脱される場合には上記表示部面を回動して表示可能な状態位置に設定する構造手段を更に具備することを特徴とする。
【００１２】
請求項３に記載の発明は、請求項２に於いて、上記第２の表示手段は、上記電話機本体内に設けられた投影表示部と、上記電話機本体内の取付部に回動可能に設けられて上記該投影表示部と対峙した状態に設定可能な拡大反射鏡部とを有して構成され、上記構造手段は、上記操作手段が上記電話機本体に装着されている場合は上記拡大反射鏡部を上記電話機本体内に折り畳んで収納し、上記操作手段が上記電話機本体から離脱されている場合は上記拡大反射鏡部面を上記投影表示部と対峙した状態の位置に設定することを特徴とする。
【００１３】
請求項４に記載の発明は、請求項２に於いて、上記第２の表示手段は、表示部と、該表示部と対峙した上記拡大光学部で構成され、上記構造手段は、上記操作手段が上記電話機本体に装着されている場合には上記表示部と拡大光学部とを上記電話機本体内に折り畳んで収納し、上記操作手段が上記電話機本体から離脱されている場合には上記表示部の表示面と拡大光学部の表面が上記電話機本体の表面から所定角をなして表示可能な状態位置に設定することを特徴とする。
【００１４】
請求項５に記載の発明は、請求項１に於いて、上記第２の表示手段は、表示部と、該表示部と対峙した上記拡大光学部で構成され、上記操作手段が上記電話機本体に装着される場合には上記拡大光学部を上記電話機本体に収納し、上記操作手段が上記電話機本体から離脱されている場合には上記拡大光学部を上記表示部の表示面から所定間隔離れた表示状態位置に設定することを特徴とする。
【００１５】
また、請求項６に記載の発明は、請求項１に於いて、上記電話機本体は、上記操作手段が該電話機本体の表面側に装着された第１の装着位置と、上記操作手段が上記電話機本体から離脱された状態である該電話機本体の背面側に装着された第２の装着位置と、を有することを特徴とする。
【００１６】
請求項７に記載の発明は、請求項６に於いて、上記操作手段は２つの水平カーソル矢印方向キーを有し、上記第２の装着位置に上記操作手段が装着されたことを検出する手段と、上記操作手段の上記２つの水平カーソル矢印方向キーのコード割当て機能の交換処理手段と、上記第２の装着位置に上記操作手段が装着された際に上記検出手段の信号により該コード割当て機能を交換して動作するコード割当て交換手段と、を更に具備することを特徴とする。
【００１７】
更に、請求項８に記載の発明は、請求項１に於いて、上記電話機本体に対して上記操作手段の装着の有無を検出する装着検出手段と、上記操作手段のそれぞれの入力キーを異なる複数の機能動作に関連させて割り当てたファンクションキー手段と、上記装着検出手段の信号によりテキスト入力キー割当てからファンクション入力キー割当てを切換える選択手段と、を更に具備することを特徴とする。
【００１８】
請求項９に記載の発明は、請求項１に於いて、上記電話機本体から上記操作手段を着脱する際の着脱の有無を検出する着脱検出手段と、上記着脱検出手段の信号に基いて上記第１の表示手段及び第２の表示手段の表示駆動の切換えを行う切換え手段と、を更に具備することを特徴とする。
【００１９】
請求項１０に記載の発明は、請求項１に於いて、上記電話機本体から上記操作手段を着脱する際の着脱の有無を検出する着脱検出手段と、該着脱検出手段の信号に基いて上記情報用通信手段の通信手続き処理を開始若しくは終了する手段と、を具備することを特徴とする。
【００２０】
請求項１１に記載の発明は、請求項１に於いて、上記操作手段にてキー入力された文字データを上記操作手段から上記電話機本体へ転送した後、そのデータをテキストに変換するテキスト変換手段と、文章入力時の一部のみを記録する一時メモリと全ての文章を記録する全文章メモリを併せ持った文章編集記録手段と、を具備し、上記第１の表示手段は上記一時メモリのデータを、上記第２の表示手段は上記全文章メモリのデータを、同時に表示することを特徴とする。
【００２１】
請求項１２に記載の発明は、請求項１に於いて、上記送受信手段は、上記操作手段から送信される信号の強度を検知する電波強度検知手段と、所定の臨界電波強度を指示する臨界電波強度指示手段と、上記電波強度検知手段からの出力信号と上記臨界電波強度指示手段の出力信号の強度を比較する電波強度比較手段と、上記電波強度比較手段にて、上記電波強度検知手段からの出力信号の強度が上記臨界電波強度指示手段からの出力信号の強度より弱い場合に、警告を発する警報手段と、を備えることを特徴とする。
【００２２】
また、請求項１３に記載の発明は、請求項１に於いて、上記操作手段は、その操作面の背面側に上記第２の表示手段への指示操作を行うための静電容量利用入力手段と、上記静電容量利用入力手段の信号を転送用信号に変換する変換手段と、を備え、上記電話機本体は、上記変換手段で変換された上記転送用信号を上記送受信手段により転送し、上記第２の表示手段の指示操作処理を行う指示操作処理手段と、を備えることを特徴とする。
【００２３】
請求項１４に記載の発明は、請求項１に於いて、上記操作手段は、その操作面の背面側に上記第２の表示手段の指示操作を行うための十字操作キー手段と、この十字操作キー手段から出力される信号を転送用信号に変換する変換手段と、を備え、上記電話機本体は、上記変換手段で変換された上記転送用信号を上記送受信手段により転送し、上記第２の表示手段の指示操作処理を行う指示操作処理手段と、を備えることを特徴とする。
【００２４】
請求項１５に記載の発明は、請求項１に於いて、上記操作手段は、バーコードを読み取るバーコードリーダ手段と、該バーコードリーダ手段で読み取られた読み取り信号情報を転送用信号に変換する変換手段と、を備え、上記電話機本体は、上記変換手段で変換された上記転送用信号を、上記送受信手段にて上記電話機本体に転送し、該転送用信号をバーコード信号としてデコード処理するデコード手段と、を備えることを特徴とする。
【００２５】
請求項１６に記載の発明は、請求項１に於いて、上記操作手段は、光学マウス手段と、上記操作手段の動きに応じた距離情報信号を転送用信号に変換する変換手段と、を備え、上記電話機本体は、上記変換手段で変換された上記転送用信号を、上記送受信手段にて転送し、距離情報信号としてデコードして上記第２の表示手段の操作処理を行う手段と、を備えることを特徴とする。
【００２６】
請求項１に記載の発明によれば、標準的な小画面表示機能と拡大表示機能を有した一体型の携帯電話機の操作キーボード部を着脱することで、携帯性及び拡大表示機能使用時の操作性を向上させることができる。
【００２７】
請求項２乃至５に記載の発明によれば、操作キーの着脱にて、装着時には収納しやすくコンパクトにでき、離脱時には拡大表示部を閲覧し易い状態に、速やかにセットアップが可能となる。
【００２８】
請求項６に記載の発明によれば、拡大表示の閲覧状態に応じた最適なキー操作位置に変更可能。
【００２９】
請求項７に記載の発明によれば、画面内カーソル操作方向を拡大表示閲覧時状態での方向感覚に合わせることが可能となる。
【００３０】
請求項８に記載の発明によれば、ブラウザを用いたときの煩わしい多くの操作キー手順をファンクションキーに変更することで、少ないキー手順で簡便に操作することが可能となる。
【００３１】
そして、請求項９及び１０によれば、少ない操作手順にて立ちスタイルでも操作が可能となる。
【００３２】
また、請求項１１に記載の発明によれば、Eメール入力やWebアドレス入力などの文字入力時はキーと表示を近接させて文字入力操作性を向上させる。
【００３３】
請求項１２に記載の発明によれば、簡単な構成で紛失防止や盗難防止の効果を得ることができる。
【００３４】
請求項１３及び１４に記載の発明によれば、機器内での狭いスペースにて簡単に画面内指示操作が可能となる。
【００３５】
請求項１に記載の発明によれば、紙面や商品表面にあるバーコード情報を取得することでマルチメディアとしての連携が可能になる。
【００３６】
更に、請求項１６に記載の発明によれば、モバイルスタイルとして身体や建造物の身近な表面を利用して簡単に画面内指示操作が可能になる。
【００３７】
【発明の実施の形態】
以下、図面を参照して、本発明の実施の形態を説明する。
【００３８】
図１は、本発明による携帯電話機の第１の実施の形態の構成を示すブロック図である。
【００３９】
図１に於いて、本携帯電話機は、携帯電話機本体１と、この携帯電話機本体１より着脱可能な操作キーボードである着脱操作キー２とから構成されている。
【００４０】
上記携帯電話機本体１は、該携帯電話機本体１内の制御を司る制御部１１と、着脱操作キー２との情報の送受信を行う送受信部１２と、ユーザによる音声等の通話を行うための通話用通信部１３と、及びモデム機能を有してインターネットホームページ等の情報通信を行うための情報用通信部１４と、第１表示部１６用の第１表示メモリ１５と、第１表示部１６と、第２表示部１８用の第２表示メモリ１７と、第２表示部１８と、図示されないバッテリ等、携帯電話機に必要な電話機能を有する携帯電話機能部１９とを有して構成される。
【００４１】
上記制御部１１は、一般の携帯電話機内での処理と、インターネットホームページ等を閲覧するためのブラウザ処理等、通常のパーソナルコンピュータと同様の処理や通信処理等、携帯電話機本体１内の全体の制御を行うものである。
【００４２】
また、上記第１表示部１６は、通話相手の電話機番号や少量の文字を見るための標準表示部であり、第２表示部１８はインターネットホームページ等を拡大高精細画像で見るための拡大表示部である。そして、これら第１表示部１６及び第２表示部１８に表示される情報を記憶するものとして、上記第１表示メモリ１５及び第２表示メモリ１７が備えられている。
【００４３】
一方、着脱操作キー２は、各種操作キーが対応して電話番号や各種情報を入力するためのキー入力部１０１と、該操作キーのキー釦を押してキーアクションをデータに変換するためのコード変換部１０２と、このコード変換部１０２で変換された信号を携帯電話機本体１側に伝達するための送受信部１０３とを有して構成される。
【００４４】
尚、図１には示されないが、着脱操作キー２側は、処理量が少ないので小さなＣＰＵを備えるか、若しくはＣＰＵを持たなくても処理が可能な制御を行える構造となっている。
【００４５】
また、携帯電話機本体１と着脱操作キー２間のキー入力信号の伝達は、ケーブル等の有線、または無線が使用される。
【００４６】
図２は、本実施の形態による携帯電話機の外観を示すもので、（ａ）は着脱操作キー２が携帯電話機本体１に装着された状態を示した側面図、（ｂ）は着脱操作キー２が携帯電話機本体１から離脱された状態を示した側面図である。
【００４７】
図２（ａ）に示されるように、着脱操作キー２が携帯電話機本体１に装着された状態に於いて、該着脱操作キー２と同一平面上となる携帯電話機本体１の一方の面には、通話用の標準表示モニタである第１表示部１６が設けられている。また、拡大表示モニタである第２表示部１８は、携帯電話機本体１内に設けられており、着脱操作キー２が携帯電話機本体１に装着された状態では、外部からは見えないようになっている。
【００４８】
そして、図２（ｂ）に示されるように、着脱操作キー２が携帯電話機本体１から離脱されると、第２表示部１８が外部に露出されるようになっている。この第２表示部１８は、例えば、インターネットホームページ等を、画像サイズＶＧＡ（Ｖｉｄｅｏ  Ｇｒａｐｈｉｃｓ  Ａｒｒａｙ；６４０×４８０ドット以上の解像度）、ＳＶＧＡ（Ｓｕｐｅｒ  Ｖｉｄｅｏ  Ｇｒａｐｈｉｃｓ  Ａｒｒａｙ；８００×６００ドット以上の解像度）で閲覧可能な拡大表示モニタで構成される。
【００４９】
拡大表示は、一般的に覗き込むスタイルであり、ユーザは携帯電話機本体１を目に近付けることになる。したがって、一般に拡大表示で情報を閲覧する場合、拡大表示情報を見ながらキー操作を行うことは操作し難いスタイルである。例えば、ユーザが左手に携帯電話機本体を持って拡大表示を見ながら、右手でキーを操作するには分離した方が利用しやすい。
【００５０】
そこで、図２（ｂ）に示されるように、着脱操作キー２を携帯電話機本体１から離脱できるようにする。拡大表示は詳細情報を見るので、着脱操作キー２が携帯電話機本体１から離脱されて第２表示部１８が視認できるような状態にされる。そして、第２表示部１８を見ながら、離脱した着脱操作キー２によるキー操作が行われる。
【００５１】
また、通話する前の電話機番号の入力操作は、携帯電話機本体１に着脱操作キー２が装着された状態にて、第１表示部１６である標準表示モニタを見ながら操作キーにて行われる。
【００５２】
次に、本発明の第２の実施の形態を説明する。
【００５３】
図３は、本発明の第２の実施の形態による携帯電話機の外観を示すもので、（ａ）は着脱操作キー２が携帯電話機本体１ａに装着された状態を示した側面図、（ｂ）は着脱操作キー２が携帯電話機本体１ａから離脱された状態を示した側面図である。
【００５４】
尚、以下に述べる実施の形態に於いて、上述した第１の実施の形態と同じ部分には同一の参照番号を付してその説明を省略するものとする。
【００５５】
図３（ａ）に示されるように、着脱操作キー２が携帯電話機本体１ａに装着された状態に於いて、該着脱操作キー２と同一平面上となる携帯電話機本体１ａの一方の面には、通話用の標準表示モニタである第１表示部１６が設けられている。また、拡大表示モニタである第２表示部１８は、携帯電話機の本体可動部２１内に設けられており、着脱操作キー２が携帯電話機本体１ａに装着された状態では、外部からは見えないようになっている。
【００５６】
そして、図３（ｂ）に示されるように、着脱操作キー２が携帯電話機本体１から離脱されると、第２表示部１８が外部に露出されるようになっている。加えて、本体可動部２１は、着脱操作キー２が携帯電話機本体１ａから離脱されると、該携帯電話機本体１ａ内の取付部（図示せず）を軸に、図示矢印Ａ1 方向にポップアップされるように設けられている。
【００５７】
これにより、通話する前の電話機番号の入力操作は、図３（ａ）に示されるように、携帯電話機本体１ａに着脱操作キー２が装着された状態にて、第１表示部１６である標準表示モニタを見ながら操作キーにて行われる。
【００５８】
一方、拡大表示による詳細情報を見る場合は、図３（ｂ）に示されるように、着脱操作キー２が携帯電話機本体１ａから離脱され、更に本体可動部２１が図示矢印Ａ1 方向にポップアップされて、携帯電話機本体１ａの表面部より折れ曲がった状態に設定される。したがって、第２表示部１８が容易に視認可能な状態になる。そして、第２表示部１８を見ながら、離脱した着脱操作キー２によるキー操作が行われる。
【００５９】
次に、本発明の第３の実施の形態を説明する。
【００６０】
図４は、本発明の第３の実施の形態による携帯電話機の外観を示すもので、（ａ）は着脱操作キー２が携帯電話機本体１ｂから離脱されて拡大反射鏡部２４が収納されている状態を示した斜視図、（ｂ）は着脱操作キー２が携帯電話機本体１ｂから離脱された状態で拡大反射鏡部２４が開かれた状態を示した側面図である。
【００６１】
図４（ａ）に於いて、携帯電話機本体１ｂの一平面上となる該携帯電話機本体１ｂの一方の面には、通話用の標準表示モニタである第１表示部１６、及び音声出力用のスピーカ２６が設けられている。また、矢印Ｂで示されるように、携帯電話機本体１ｂ上で、離脱された着脱操作キー２が装着されるべく部分には、図示矢印Ａ2 方向に繰り出される拡大反射鏡部２４が収納されている。そして、この拡大反射鏡部２４は、通常、着脱操作キー２が携帯電話機本体１ｂから離脱されると、該携帯電話機本体１ｂ内の取付部（図示せず）を軸に、図示矢印Ａ2 方向に開かれるように設けられている。
【００６２】
更に、携帯電話機本体１ｂには、上記拡大反射鏡部２４に情報を表示するための投影表示部２３と、音声入力用のマイク２７が設けられる。また、着脱操作キー２を装着するための、凹部２８と、ホルダ２９が形成されている。これら凹部２８及びホルダ２９は、それぞれ着脱操作キー２に形成された係止爪１０５及び係合部１０６と係合して、該着脱操作キー２が携帯電話機本体１ｂから離脱されないようになっている。
【００６３】
通話する前の電話機番号の入力操作は、携帯電話機本体１ｂに着脱操作キー２が装着された状態、或いは離脱された状態の何れでも、第１表示部１６である標準表示モニタを見ながら操作キーにて行われる。
【００６４】
一方、拡大表示による詳細情報を見る場合は、図４（ｂ）に示されるように行われる。すなわち、ホルダ２９と着脱操作キー２の係合部１０６との係合が解かれて、着脱操作キー２が携帯電話機本体１ｂから離脱されると、拡大反射鏡部２４が図４（ａ）の図示矢印Ａ2 方向に開かれる。この状態に於いて、投影表示部２３によって投影された光は、携帯電話機本体１ｂ内に設けられた一次反射鏡部２５で反射された後、拡大反射鏡部２４に導かれる。そして、この拡大反射鏡部２４で再度反射された光が、ユーザの目３に取り込まれる。
【００６５】
したがって、投影表示部２３、一次反射鏡部２５、拡大反射鏡部２４により、拡大表示による詳細情報が容易に閲覧可能な状態にされる。そして、拡大反射鏡部２４に表示された詳細情報を見ながら、離脱された着脱操作キー２によるキー操作が行われる。
【００６６】
尚、本第３の実施の形態に於いて、右手で携帯電話機本体１ｂとを把持する場合と左手で携帯電話機本体１ｂを把持する場合とでは、拡大反射鏡部２４に表示される画像（情報）の天地方向が反転してしまうので、投影表示部２３にて表示する画像（情報）を上下反転させなければならない。このような技術については、例えば、特開平１０−３４００７３号公報に開示されているような技術を用いることができる。
【００６７】
図５は、本発明の第４の実施の形態による携帯電話機の外観を示すもので、（ａ）は着脱操作キー２が携帯電話機本体１ｃから離脱されて拡大光学部３１が収納された状態を示した斜視図、（ｂ）は着脱操作キー２が携帯電話機本体１ｃから離脱された状態で拡大光学部３１及び第２表示部１８がポップアップされた状態を示した側面図である。
【００６８】
図５（ａ）に於いて、携帯電話機本体１ｃの一平面上となる該携帯電話機本体１ｃの一方の面には、通話用の標準表示モニタである第１表示部１６が設けられている。また、矢印Ｂで示されるように、携帯電話機本体１ｃ上で、離脱された着脱操作キー２が装着されるべく部分には、図示矢印Ａ3 方向にポップアップされる拡大光学部３１及び拡大表示用の第２表示部１８（図５（ｂ）参照）が収納されている。
【００６９】
上記拡大光学部３１及び第２表示部１８は、通常、着脱操作キー２が携帯電話機本体１ｃから離脱されると、図５（ｂ）に示されるように、それぞれ該携帯電話機本体１ｃ内の取付部（図示せず）を軸に、ポップアップされるように設けられている。そして、上記拡大光学部３１及び第２表示部１８は、ポップアップされると互いに平行になる位置に固定される。
【００７０】
尚、上記拡大光学部３１は所定の屈折率のレンズを有するもので、上記第２表示部１８は、例えばＬＣＤ等の表示素子から構成される。
【００７１】
そして、通話する前の電話機番号の入力操作は、携帯電話機本体１ｃに着脱操作キー２が装着された状態、或いは離脱された状態の何れでも、第１表示部１６である標準表示モニタを見ながら操作キーにて行われる。
【００７２】
一方、拡大表示による詳細情報を見る場合は、着脱操作キー２が携帯電話機本体１ｃから離脱される。すると、拡大光学部３１及び第２表示部１８が、図５（ａ）の図示矢印Ａ3 方向にポップアップされる。この状態に於いて、第２表示部１８に表示された詳細情報は、拡大光学部３１によって拡大されて、ユーザの目３に取り込まれる。
【００７３】
したがって、第２表示部１８及び拡大光学部２４により、拡大表示による詳細情報が、ユーザにとって容易に閲覧可能な位置に映し出される。そして、拡大光学部３１を介して第２表示部１８に表示された詳細情報を見ながら、離脱された着脱操作キー２によるキー操作が行われる。
【００７４】
尚、拡大光学部３１と第２表示部１８の構成は、図５に示されるような構造のものに限定されるものではなく、別の光学系を用いても構成可能であることは言うまでもない。
【００７５】
例えば、図５の拡大光学部３１に代えて、特開平０９−１１３８０１号公報に開示される、図６（ａ）に示されるような光学系を用いてもよい。この光学系は、第１面３３、第２面３４及び第３面３５の３つの面を有して成り、その間が屈折率１より大きい媒質で満たされている。
【００７６】
そして、画像表示素子３６に対向して配置された透過面の第３面３５を経て、光学系に入射した画像表示素子３６からの表示光は、観察者視軸３７上に第２面３４と観察者の瞳３８との間に配置された第１面３３で反射され、次に、観察者視軸３７上に観察者の瞳３８と対向して偏心配置された反射面の第２面３４に入射して反射される。この反射光は、第１面３３を透過して光学系から射出して観察者視軸３７に沿って進み、中間像を形成することなく観察者の瞳３８に入射し、観察者の網膜上に表示像を結像する。
【００７７】
尚、図中、符号３９はアナモルフィック面を形成する第１面３３、第２面３４の軸を示し、符号４０はそれらの面形状の中心を示す。
【００７８】
もちろん、図６（ａ）に示される光学系以外にも、上記公報に開示されるような種々の光学系が適用可能である。
【００７９】
また、拡大光学部と第２表示部は、図６（ｂ）に示されるように、別々に回動動作させてもよい。そして、例えば、携帯電話機本体１ｃに対して、第２表示部１８がポップアップされる角度よりも、拡大光学部３１ａがポップアップされる角度の方を大きくとるようにしてもよい。
【００８０】
更に、図６（ａ）に示されるような光学系の場合には、光学系と表示部との光学的な位置関係が変わらないように一体に保持した構成とし、この一体となった構成を回動動作させるようにしてもよい。
【００８１】
次に、本発明の第５の実施の形態を説明する。
【００８２】
図７は、本発明の第５の実施の形態による携帯電話機の外観を示すもので、（ａ）は着脱操作キー２が携帯電話機本体１ｄから離脱されて拡大光学部４２が収納されている状態を示した斜視図、（ｂ）は着脱操作キー２が携帯電話機本体１ｄから離脱された状態で拡大光学部４２が繰り出された状態を示した側面図である。
【００８３】
図７（ａ）に於いて、携帯電話機本体１ｄの一平面上となる該携帯電話機本体１ｃの一方の面には、通話用の標準表示モニタである第１表示部１６が設けられている。また、矢印Ｂで示されるように、携帯電話機本体１ｄ上で、離脱された着脱操作キー２が装着されるべく部分には、図示矢印Ａ4 方向に繰り出される拡大光学部４２が収納されている。
【００８４】
拡大表示モニタ用の第２表示部１８は、図７（ｂ）に示されるように、携帯電話機本体１ｄ内に設けられている。この第２表示部１８は、拡大光学部４２が携帯電話機本体１ｄ内に収納されている状態では外部から見えない位置に配置されている。そして、着脱操作キー２が携帯電話機本体１ｄから離脱されて拡大光学部４２が繰り出されると、拡大光学部４１は第２表示部１８と対峙して互いに平行になる位置に固定される。
【００８５】
尚、上記拡大光学部４２は所定の屈折率のレンズを有するもので、上記第２表示部１８は、例えばＬＣＤ等の表示素子から構成される。
【００８６】
そして、通話する前の電話機番号の入力操作は、携帯電話機本体１ｄに着脱操作キー２が装着された状態、或いは離脱された状態の何れでも、第１表示部１６である標準表示モニタを見ながら操作キーにて行われる。
【００８７】
一方、拡大表示による詳細情報を見る場合は、着脱操作キー２が携帯電話機本体１ｄから離脱される。すると、拡大光学部４２が、図７（ａ）の図示矢印Ａ4 方向に繰り出される。この状態に於いて、第２表示部１８に表示された詳細情報は、拡大光学部４２によって拡大されて、ユーザの目３に取り込まれる。
【００８８】
したがって、第２表示部１８及び拡大光学部４２により、拡大表示による詳細情報が、ユーザにとって容易に閲覧可能な位置に映し出される。そして、拡大光学部４２を介して第２表示部１８に表示された詳細情報を見ながら、離脱された着脱操作キー２によるキー操作が行われる。
【００８９】
尚、上記拡大光学部４２と第２表示部１８の構成は、図７に示されるような構造のものに限定されるものではなく、別の光学系を用いても構成可能であることは勿論である。
【００９０】
次に、本発明の第６の実施の形態を説明する。
【００９１】
図８は、本発明の第６の実施の形態による携帯電話機の外観を示すもので、（ａ）は着脱操作キー２が携帯電話機本体１ｅの表面側に装着された状態を示した側面図、（ｂ）は着脱操作キー２が携帯電話機本体１ｅの背面側に装着された状態を示した側面図である。
【００９２】
図８（ａ）に示されるように、着脱操作キー２が携帯電話機本体１ｅに装着された状態に於いて、該着脱操作キー２と同一平面上となる携帯電話機本体１ｅの一方の面である表面側には、通話用の標準表示モニタである第１表示部１６が設けられている。また、拡大表示モニタである第２表示部１８は、携帯電話機本体１ｅ内に設けられており、着脱操作キー２が携帯電話機本体１ｅに装着された状態では、外部からは見えないようになっている。
【００９３】
そして、図８（ｂ）に示されるように、着脱操作キー２が携帯電話機本体１ｅから離脱されると、第２表示部１８が外部に露出されるようになっている。この場合、離脱された着脱操作キー２は、携帯電話機本体１ｅの他方の面である背面側に装着される。
【００９４】
図９は、本発明による携帯電話機の第６の実施の形態の構成を示すもので、（ａ）は着脱操作キー２ａが携帯電話機本体１ｅより離脱された状態の構成を示すブロック図、（ｂ）は着脱操作キー２ａが携帯電話機本体１ｅの背面側に装着された状態の構成を示すブロック図である。
【００９５】
携帯電話機本体１ｅは、制御部１１と、送受信部１２と、携帯電話機能部１９と、スイッチ部４４と、背面装着検出部４５と、コード割当て交換部４６とを有して構成される。また、着脱操作キー２ａは、キー入力部１０１と、コード変換部１０２と、送受信部１０３とを有して構成される。
【００９６】
上記スイッチ部４４は、着脱操作キー２ａが携帯電話機本体１ｅの背面側に装着されたか否かに応じてオン／オフするスイッチである。このスイッチ部４４のオン／オフ状態に従って、背面装着検出部４５では、着脱操作キー２ａが携帯電話機本体１ｅの背面側に装着されたか否かが検知される。更に、上記コード割当て交換部４６は、上記背面装着検出部４５からの信号より、水平カーソル矢印方向キーのコード割当て機能を交換するものである。
【００９７】
いま、図９（ａ）に示されるように、着脱操作キー２ａが携帯電話機本体１ｅの背面側に装着されていない場合、すなわち着脱操作キー２ａが携帯電話機本体１ｅの表面側に装着されているか、離脱されているものの背面側に装着されない状態では、携帯電話機本体１ｅと着脱操作キーａ間は有線または無線により信号の送受信が行われる。
【００９８】
そして、図９（ｂ）に示されるように、着脱操作キー２ａが携帯電話機本体１ｅの背面側に装着されている場合は、スイッチ部４４がオフになる。これにより、背面装着検出部４５にて携帯電話機１ｅの背面側に着脱操作キー２ａが装着されていることが検出される。
【００９９】
この背面装着検出部４５にて携帯電話機１ｅの背面側に着脱操作キー２ａが装着されていることが検出されると、着脱操作キー２ａ内の図示されない２つの水平カーソル矢印方向キーのコード割当て機能の交換処理が行われる。すなわち、コード割当て交換部４６にて、該背面装着検出部からの信号により、下記表１に表されるように、該コード割当て機能が交換される。
【０１００】
【表１】
0004648551.tif 000002
【０１０１】
ここで、表示上のカーソルまたはポインタの移動方向にて、「コード２５ｈ＝左」、「コード２７ｈ＝右」を表している。これらは、モード設定の段階にて、機能設定が不可となるようにすることもできる。また、検出信号の“Ｈ”は背面装着が無いことを表し、検出信号の“Ｌ”は背面装着が有ることを表している。
【０１０２】
拡大表示モニタである第２表示部１８を使用する際に、ユーザが該第２表示部１８を覗き込んで片手で操作するには、着脱操作キー２ａを携帯電話機本体１ｅの背面側に装着するとよい。しかしながら、その場合、表示方向の左右が反対になる。したがって、その場合だけ、水平カーソル矢印方向キーのコード割当てを左右逆にすることで、本体は通常処理で実行することができる。
【０１０３】
コード割当て交換部４６は、この処理を行うために設けられたもので、携帯電話機本体１ｅの背面側に着脱操作キー２が装着されたことを機械的に検出して、装着された場合は左右の水平カーソル矢印方向キーのコード割当てを交換するようにしている。これらの水平カーソル矢印方向キーのコード割当て交換は、ユーザの好みに応じて操作キーのパターンが切換えられる。
【０１０４】
次に、本発明の第７の実施の形態について説明する。
【０１０５】
図１０は、本発明による携帯電話機の第７の実施の形態の構成を示すもので、（ａ）は着脱操作キー２ｂが携帯電話機本体１ｆに装着された状態の構成を示すブロック図、（ｂ）は着脱操作キー２ｂが携帯電話機本体１ｆから離脱された状態の構成を示すブロック図である。
【０１０６】
携帯電話機本体１ｆは、制御部１１と、送受信部１２と、携帯電話機能部１９と、スイッチ部４４と、入力キー割当て交換部４９と、各種の機能制御部５０と、装着検出部５１とを有して構成される。また、着脱操作キー２ｂは、キー入力部１０１と、コード変換部１０２と、送受信部１０３とを有して構成される。
【０１０７】
上記スイッチ部４４は、着脱操作キー２ｂが携帯電話機本体１ｆに装着されたか否かに応じてオン／オフするスイッチである。このスイッチ部４４のオン／オフ状態に従って、装着検出部５１では、着脱操作キー２ｂが携帯電話機本体１ｆに装着されたか否かが検知される。更に、上記入力キー割当て交換部４９は、上記装着検出部５１からの信号より、入力キーの情報割当て機能を交換するものである。
【０１０８】
いま、図１０（ａ）に示されるように、着脱操作キー２ｂが携帯電話機本体１ｆに装着されている場合、スイッチ部４４がオフとなって装着検出部５１からは、着脱操作キー２ｂが装着されていることを表す信号“Ｌ”が入力キー割当て交換部４９に出力される。これを受けて、入力キー割当て交換部４９では、入力キーが通常の数字や文字入力用のものであるとして、入力キーに対応した文字データとなるように制御部１１に伝え、該制御部１１は文字データを制御する。
【０１０９】
一方、図１０（ｂ）に示されるように、着脱操作キー２ｂが携帯電話機本体１ｆから離脱されると、スイッチ部４４がオンとなって、装着検出部５１から着脱操作キー２ｂが離脱されていることを表す信号“Ｈ”が入力キー割当て交換部４９に出力される。これにより、入力キーをテキスト入力用から拡大表示ビュワーとしてのファンクションキーとして使用されるように、キー割当てを変更するよう、各種の機能制御部５０に伝え、該機能制御部５０がこれを制御する。
【０１１０】
尚、ユーザは操作キー付近を見ないで使用することが想定されるので、１つのキーに１つの動作駆動が関連付けられるファンクションキーとして機能させるものとする。
【０１１１】
ここで、ファンクションキーの各種機能例を挙げると以下のようになる。
Ｆ１：ＥＳＣ
Ｆ２：選択
Ｆ３：下スクロール
Ｆ４：上スクロール
Ｆ５：左スクロール
Ｆ６：右スクロール
Ｆ７：メニュー開く
Ｆ８：メニュー閉じる
Ｆ９：ブラウザを開く
Ｆａ：Ｂｏｏｋｍａｒｋ選択
Ｆｂ：ブラウザを閉じる
また、上記ファンクションキーＦ７によるメニュー例としては、以下の通りである。
【０１１２】
ａ：標準表示／拡大表示選択
ｂ：省エネルギーモード選択
ｃ：通話選択
ｄ：外部スピーカ切換
ｅ：解像度変換
ｆ：メール開く
ｇ：ユーザカスタム１
ｈ：ユーザカスタム２
ｉ：ユーザカスタム３
ｊ：元に戻る
次に、本発明の第８の実施の形態について説明する。
【０１１３】
図１１は本発明の第８の実施の形態による携帯電話機の外観を示すもので、（ａ）は着脱操作キー２ｂが携帯電話機本体１ｇに装着された状態を示した側面図、（ｂ）は着脱操作キー２ｂが携帯電話機本体１ｇから離脱された状態を示した側面図である。
【０１１４】
図１１（ａ）に示されるように、着脱操作キー２ｂが携帯電話機本体１ｇに装着された状態に於いて、該着脱操作キー２ｂと同一平面上となる携帯電話本体１ｇの一方の面には、通話用の標準表示モニタである第１表示部１６が設けられている。また、拡大表示モニタである第２表示部１８は、携帯電話機本体１ｇ内に設けられており、着脱操作キー２ｂが携帯電話機本体１ｇに装着された状態では、外部からは見えないようになっている。
【０１１５】
そして、図１１（ｂ）に示されるように、着脱操作キー２ｂが携帯電話機本体１ｇから離脱されると、第２表示部１８が外部に露出されるようになっている。また、第２表示部１８と同様に、着脱操作キー２ｂが携帯電話機本体１ｇより離脱された状態で外部に露出される表示スイッチ５２が、携帯電話機本体１ｇ内に設けられている。
【０１１６】
尚、上記表示スイッチ５２は、図１１には示されない携帯電話機本体１ｇ内の第１電源及び第２電源を切換えるためのスイッチである。
【０１１７】
図１２は、本発明による携帯電話機の第８の実施の形態の構成を示すもので、（ａ）は着脱操作キー２ｂが携帯電話機本体１ｇに装着された状態の構成を示すブロック図、（ｂ）は着脱操作キー２ｂが携帯電話機本体１ｇから離脱された状態の構成を示すブロック図である。
【０１１８】
携帯電話機本体１ｇは、制御部１１と、送受信部１２と、通話用通信部１３と、情報用通信部１４と、第１表示メモリ１５と、第１表示部１６と、第２表示メモリ１７と、第２表示部１８と、携帯電話機能部１９と、装着検出部５１と、表示スイッチ５２と、主として第１表示部１６及び第２表示部１８用の電源である第１電源５３及び第２電源５４とを有して構成される。また、着脱操作キー２ｂは、キー入力部１０１と、コード変換部１０２と、送受信部１０３とを有して構成される。
【０１１９】
上記表示スイッチ５２は、着脱操作キー２ｂが携帯電話機本体１ｇに装着されたか否かに応じてオン／オフするスイッチである。この表示スイッチ５２のオン／オフ状態に従って、装着検出部５１では、着脱操作キー２ｂが携帯電話機本体１ｇに装着されたか否かが検知される。そして、制御部１１は、上記装着検出部５１からの信号に応じて、第１表示部１６用の第１電源５３と、第２表示部１８用の第２電源５４のオン／オフを制御すると共に、通話用通信部１３及び情報用通信部１４を制御する。
【０１２０】
図１２（ａ）に示されるように、着脱操作キー２ｂが携帯電話機本体１ｇに装着されている場合は、表示スイッチ５２がオフとなる。これにより、装着検出部５１からは、着脱操作キー２ｂが装着されていることを表す信号“Ｌ”が制御部１１に供給される。
【０１２１】
これを受けて、制御部１１によって、通話用の標準表示部である第１表示部１６が使用されるべく、第１電源５３がオンにされる。それと共に、通話用通信部１３も使用状態とするためにオンにされる。このとき、拡大表示モニタである第２表示部１８用の第２電源５４及び情報用通信部１４は、使用されないのでオフにされる。
【０１２２】
一方、図１２（ｂ）に示されるように、着脱操作キー２ｂが携帯電話機本体１ｇから離脱されると、表示スイッチ５２がオンとなって、装着検出部５１から着脱操作キー２ｂが離脱されていることを表す信号“Ｈ”が制御部１１に供給力される。
【０１２３】
次いで、制御部１１によって、情報用の拡大表示部である第２表示部１８が使用されるべく、第２電源５４がオンにされる。それと共に、情報用通信部１４も使用状態とされて情報入手が開始されるためにオンにされる。このとき、第１表示部１６用の第１電源５３及び通話用通信部１３は、使用されないのでオフにされる。
【０１２４】
すなわち、携帯電話機を通話用機器として使用する場合は、着脱操作キー２ｂが携帯電話機本体１ｇに装着された状態であり、標準表示である第１表示部１６用の第１電源５３及び通話用通信部１３がオンにされ、拡大表示である第２表示部１８用の第２電源５４及び情報用通信部１４がオフにされる。
【０１２５】
これに対し、携帯電話機を情報用機器として使用する場合は、着脱操作キー２ｂが携帯電話機本体１ｇから離脱された状態であり、拡大表示である第２表示部１８用の第２電源５４及び情報用通信部１４がオンにされ、標準表示である第１表示部１６用の第１電源５３及び通話用通信部１３がオフにされる。
【０１２６】
このように、拡大表示が使用される場合は、インターネットホームページ等の情報データが入手される場合であり、通話用の標準表示部は使用されない。したがって、表示スイッチ５２及び装着検出部５１にて、着脱操作キー２ｂの着脱事象が検出され、その信号が制御部１１に伝えられる。これにより、第１電源５３がオフにされて第１表示部１６がオフにされ、同時に第２電源がオンにされて第２表示部１８がオンにされるよう、制御部１１で制御される。更に、これら第１及び第２電源５３及び５４のオン／オフと併行して、情報用通信部１４が動作されて情報入手が開始されように制御される。
【０１２７】
尚、再び、着脱操作キー２ｂが携帯電話機本体１ｇに装着されると、上述した通話用の動作になり、表示スイッチ５２の出力に従って交互の動作になる。
【０１２８】
更に、上述した第８の実施の形態では、第１表示部１６用の第１電源５３と第２表示部１８用の第２電源５４が相対するように動作しているが、同時に動作するモードの対応も可能である。同様に、通話用通信と情報用通信を任意に切替えて使うこともできるモード対応も可能である。
【０１２９】
次に、本発明の第９の実施の形態について説明する。
【０１３０】
図１３は、本発明による携帯電話機の第９の実施の形態の構成を示すもので、着脱操作キー２が携帯電話機本体１ｈから離脱された状態の構成を示すブロック図である。
【０１３１】
携帯電話機本体１ｈは、制御部１１と、送受信部１２と、第１表示メモリ１５と、第１表示部１６と、第２表示メモリ１７と、第２表示部１８と、携帯電話機能部１９と、テキスト処理部５５と、文字編集メモリ５６とを有して構成される。また、着脱操作キー２は、キー入力部１０１と、コード変換部１０２と、送受信部１０３とを有して構成される。
【０１３２】
この第９の実施の形態では、着脱操作キー２から入力された文書の一部の文字を第１表示部１６に表示し、文全体は第２表示部１８で表示するようにしたものである。
【０１３３】
上述した実施の形態では、インターネットホームページをブラウザ処理等によって閲覧しているが、ここでは電子メール作成等の場合を例として説明する。
【０１３４】
着脱操作キー２から入力された文字データは、送受信部１０３から有線または無線による送受信手段を介して携帯電話機本体１ｈの送受信部１２に転送される。テキスト処理部５５では、コードデータから１文字のテキストデータとして処理され、文字編集メモリ５６に書き込まれる。
【０１３５】
この文字編集メモリ５６に置かれた文字の集合体である文書は、編集カーソルが置かれている付近の１ライン程度の文字数だけが、随時、第１表示メモリ１５に読み込まれる。そして、この第１表示メモリ１５に読み込まれた文字が、標準表示モニタである第１表示部に表示される。
【０１３６】
また、文章全体は、第２表示メモリ１７に取り込まれ、予め用意されたブラウザ表示画像と合成される。そして、その文章の全容は、拡大表示モニタである第２表示部１８にて見られるように制御される。
【０１３７】
次に、本発明の第１０の実施の形態について説明する。
【０１３８】
図１４は、本発明による携帯電話機の第１０の実施の形態の構成を示すもので、着脱操作キー２１ｃが携帯電話機本体１ｉから離脱された状態の構成を示すブロック図である。
【０１３９】
この第１０の実施の形態では、着脱操作キー２ｃが、携帯電話機本体１ｉからある程度離れると、警報音を発生する機能を有している。すなわち、この携帯電話機では、着脱操作キー２ｃからの電波の強度を携帯電話機本体１ｉで検出し、該着脱操作キー２ｃが携帯電話機本体１ｉから離れると電波強度が弱くなる性質を利用している。
【０１４０】
携帯電話機本体１ｉは、アンテナ６０と、ＲＦスイッチ６１と、ＲＦ受信増幅部６２と、送受信制御部６３と、電波強度検知手段としての受信レベル検知部６４と、電波強度比較手段である比較部６５と、臨海電波強度指示手段である警報レベル設定部６６と、警報音発生部６７と、スピーカ６８と、携帯電話制御部６９と、ＲＦ送信部７０とを有して構成される。また、着脱操作キー２ｃは、キー入力部１０１と、コード変換部１０２と、送受信部１０３と、アンテナ１０９とを有して構成される。
【０１４１】
尚、この図１４に示される第１０の実施の形態では、着脱操作キー２ｃと携帯電話機本体１ｉ間を無線により送受信する送信、受信部を主に示している。
【０１４２】
このような構成に於いて、着脱操作キー２ｃからは、キー操作時以外でも低レベルの値でアンテナ１０９を介して出力されている。一方、上記携帯電話機本体１ｉでは、送信と受信がＲＦスイッチ６１にて切り替えられるように制御されている。
【０１４３】
この携帯電話機本体１ｉにて、着脱操作キー２ｃからの電波の受信時には、受信感度を安定させるために、ＲＦ受信増幅部６２の自動利得制御が行われている。その制御された信号は、受信レベル検知部６４へ供給されると、比較し易いデジタル信号に変換された後、比較部に転送される。
【０１４４】
この比較部６５に於いて、下記表２に表されるように、比較する信号が警報レベル設定部６６の所定の設定値と比較される。そして、比較の結果、その電界強度に応じて、警報音発生部６７に対して警報音をオン／オフするべく信号が出力される。
【０１４５】
【表２】
0004648551.tif 000003
【０１４６】
このように、比較部６５の出力に基いて、スピーカ６８を介して警報音が発せられるように制御される。
【０１４７】
例えば、比較する信号をＡとし、警報レベル設定部６６の設定値をＢとして、両者が比較部６５にて比較されると、Ａ＜Ｂが成立したときに、警報音発生部６７に出力“Ｌ”として供給される。これにより、スピーカ６８を介して警報音が発せられるように制御される。
【０１４８】
尚、上述した例では、警報音を発生してユーザに告知するようにしているが、これに限られずに発光や表示によって告知するようにしてもよい。
【０１４９】
次に、図１５及び図１６を参照して、本発明の第１１の実施の形態について説明する。
【０１５０】
図１５は、本発明の第１１の実施の形態による着脱操作キーの外観構成を示すもので、（ａ）は表面側を示す平面図、（ｂ）は側面図、（ｃ）は背面側を示す平面図であり、図１６は第１１の実施の形態による携帯電話機の構成を示すブロック図である。
【０１５１】
着脱操作キー２ｄは、その表面側に複数の操作キー１１１が設けられている。また、該着脱操作キー２ｄの背面側には、指示操作手段として、静電容量利用の入力キーボードである静電容量入力部１１２が設けられており、ユーザの指先等でボード表面に振れて移動させることにより、入力が行われるようになっている。
【０１５２】
この静電容量入カ部１１２の面内位置で容量変化が生じると、ＸＹコード変換部１１３にそのＸＹデータが出力される。ＸＹコード変換部１１３では、携帯電話機本体１内でデータ処理し易いデータであり、且つ送受信用データに変換される。更に、キー入力部１０１からのキーの入カも行えるように、送受信部１０３で混合されて、有線または無線により、携帯電話機本体１に送信される。
【０１５３】
携帯電話機本体１内では、一般のマウスと同様なポインタ移動処理が行われる。その結果、第２表示メモリ１７及び第２表示部１８にて、上記静電容量入力部１１２による入力がポインタとして表示されるように制御される。
【０１５４】
次に、上述した第１１の実施の形態の変形例について説明する。
【０１５５】
図１７は、本発明の第１１の実施の形態の変形例による着脱操作キーの外観構成を示すもので、（ａ）は表面側を示す平面図、（ｂ）は側面図、（ｃ）は背面側を示す平面図であり、図１８は第１１の実施の形態の変形例による携帯電話機の構成を示すブロック図である。
【０１５６】
その表面側に複数の操作キー１１１が設けられている着脱操作キー２ｅの背面側には、指示操作手段として、十字形状に形成された入力部である十字キー部１１５が設けられている。この十字キー部１１５は、ユーザの指先等で十字形状の押された部分の方向に対してのみ入力が行われるようになっている。
【０１５７】
十字キー部１１５にて入力された信号は、ＸＹコード変換部１１６に出力されてキー操作のため矢印キーのような処理としてコードデータに変換される。ＸＹコード変換部１１６では、携帯電話機本体１内でデータ処理し易いデータであり、且つ送受信用データに変換される。更に、キー入力部１０１からのキーの入カも行えるように、送受信部１０３で混合されて、有線または無線により、携帯電話機本体１に送信される。
【０１５８】
携帯電話機本体１内では、上述した例と同様なポインタ移動処理が行われる。
【０１５９】
次に、図１９乃至図２１を参照して、本発明の第１２の実施の形態について説明する。
【０１６０】
図１９は、本発明の第１２の実施の形態による携帯電話機の構成を示すブロック図である。また、図２０は第１２の実施の形態による着脱操作キーの外観構成を示すもので、（ａ）は表面側を示す平面図、（ｂ）は側面図である。更に、図２１は、第１２の実施の形態による着脱操作キー２ｆをバーコードリーダとして使用する例を示した図である。
【０１６１】
携帯電話機本体１ｊは、制御部１１と、送受信部１２と、携帯電話機能部１９と、バーコードデコード部７２とを有して構成される。また、着脱操作キー２ｆは、キー入力部１０１と、コード変換部１０２と、送受信部１０３と、制御部１１９と、転送用データ変換部１２０と、バーコードリーダ部１２１とを有して構成される。尚、このバーコードリーダ部１２１は、バーコード５を照明するための照明ＬＥＤ（発光ダイオード）部１２２と、照明されたバーコード５を検知するためのフォトセンサ部１２３とから構成される。
【０１６２】
着脱操作キー２ｆの操作表面側には、バーコード５を読み取るための読み取り用スイッチ１０１ａを含む複数の操作キーが設けられている。そして、この着脱操作キー２ｆの、例えば下端の一部には、上述した照明ＬＥＤ部１２１及びフォトセンサ部１２３を含むバーコードリーダ部１２１が内蔵されている。
【０１６３】
このような構成に於いて、ユーザの手６により、読み取り用スイッチ１０１ａがオンにされた状態で、バーコード５上にバーコードリーダ部１２１が当接され、更に図２１に示される矢印方向に着脱操作キー２ｆが移動される。この時、上記読み取り用スイッチ１０１ａをオンすることによって、キー入力部１０１から制御部１１９信号が伝達される。これにより、制御部１１９から、この着脱操作キー２ｆでバーコード５を読み取るべく、照明ＬＥＤ部１２２に点灯信号が出力される。
【０１６４】
照明ＬＥＤ部１２２により点灯が開始されると、その光はバーコード５の面に照射されて、その反射光がフォトセンサ部１２３で受光される。このフォトセンサ部１２３では、この受け取られた光からデジタル信号に変換される。そして、変換されたデジタル信号は、転送用データ変換部１２０にて、同期が取られながら、バーコードパターンの一次データとして変換され、携帯電話機本体１ｊヘデータ転送するための通信用信号に変換される。そして、送受信部１０３を介して、有線または無線により携帯電話機本体１ｊに送信される。
【０１６５】
携帯電話機本体１ｊでは、送受信部１２を介して取り込まれたバーコードパターン信号が、バーコードデコード部７２にてバーコードに対応したコードデータに変換される。そして、このコードデータが制御部１１に供給されて、その後バーコードに対応した処理が行われる。
【０１６６】
尚、上述した第１２の実施の形態では、携帯電話機本体側にバーコードデコーダ部を設けているが、これに限られずに着脱操作キー側にバーコードデコーダ部を設けるようにしてもよい。
【０１６７】
また、上述した第１２の実施の形態は、着脱操作キーがバーコードリーダ部を有してバーコードを読取る機能を有している例について説明したが、操作キーにカメラ機能を有したものでもよい。その場合、バーコードリーダ部１２１に代えて、レンズ及び撮像素子等を含むカメラ機能を有した手段を設けてもよい。
【０１６８】
次に、図２２乃至図２４を参照して、本発明の第１３の実施の形態について説明する。
【０１６９】
図２２は、本発明の第１３の実施の形態による携帯電話機の構成を示すブロック図である。また、図２３は第１３の実施の形態による着脱操作キーの外観構成を示すもので、（ａ）は表面側を示す平面図、（ｂ）は側面図である。更に、図２４は、第１３の実施の形態による着脱操作キー２ｇを光学ポインティングデバイス（マウス）として使用する例を示した図である。
【０１７０】
携帯電話機本体１ｋは、制御部１１と、送受信部１２と、第１表示メモリ１５と、第１表示部１６と、第２表示メモリ１７と、第２表示部１８と、携帯電話機能部１９と、ＸＹデコード部７３とを有して構成される。
【０１７１】
また、着脱操作キー２ｇは、キー入力部１０１と、コード変換部１０２と、送受信部１０３と、制御部１１９と、転送用データ変換部１２０と、イメージ相関処理部１２４と、光学マウス部１２５とを有して構成される。尚、この光学マウス部１２５は、対物７を照明するための照明ＬＥＤ（発光ダイオード）部１２２と、照明された対物７を検知するための光学センサ部１２６とから構成される。更に、上記着脱操作キー２ｆの背面側の一部には、上記光学マウス部１２５が設けられている。
【０１７２】
このような構成に於いて、ユーザが手６に着脱操作キー２ｇを把持し、光学マウス部１２５を対物７上に対向させて所定方向に移動させる。すると、制御部１１９から照明ＬＥＤ部１２２に点灯要求の信号が出力される。
【０１７３】
これにより、照明ＬＥＤ部１２２が点灯され、その光は対物７の面に当たり、その反射光が２次元光学センサである光学センサ部１２６で受け取られる。この光学センサ部１２６で受光された光は、イメージ相関処理部１２４に送られ、ここで２次元の動き情報が得られる。更に、転送用データ変換部１２０にて、携帯電話機本体１ｋヘデータ転送するための通信用信号に変換される。そして、送受信部１０３を介して、有線または無線により携帯電話機本体１ｋに送信される。
【０１７４】
携帯電話機本体１ｋでは、送受信部１２を介して取り込まれた信号が、ＸＹデコード部７３で移動距離データに変換される。そして、この変換されたデータが制御部１１に供給されて、第２表示部１８上でのマウスとして対応した処理が行われる。
【０１７５】
尚、マウスのクリック操作用スイッチ（いわゆるマウスの左釦）として、キー入力部１０１の一部である操作キー１１１を割り当てるように設定しても良い。
【０１７６】
更には、光学マウス部１２５の代わりにボール式マウス部を着脱操作キー２ｇに設けても、同様の作用効果を奏することができる。
【０１７７】
【発明の効果】
以上のように本発明によれば、入力操作を行う操作キーが見難くなること無く操作指示が可能であり、電話機の使用時のスタイルを大きく変えることなく、且つ装置が大型化することのない携帯電話機を提供することができる。
【図面の簡単な説明】
【図１】本発明による携帯電話機の第１の実施の形態の構成を示すブロック図である。
【図２】本発明の第１の実施の形態による携帯電話機の外観を示すもので、（ａ）は着脱操作キー２が携帯電話機本体１に装着された状態を示した側面図、（ｂ）は着脱操作キー２が携帯電話機本体１から離脱された状態を示した側面図である。
【図３】本発明の第２の実施の形態による携帯電話機の外観を示すもので、（ａ）は着脱操作キー２が携帯電話機本体１ａに装着された状態を示した側面図、（ｂ）は着脱操作キー２が携帯電話機本体１ａから離脱された状態を示した側面図である。
【図４】本発明の第３の実施の形態による携帯電話機の外観を示すもので、（ａ）は着脱操作キー２が携帯電話機本体１ｂから離脱されて拡大反射鏡部２４が収納されている状態を示した斜視図、（ｂ）は着脱操作キー２が携帯電話機本体１ｂから離脱された状態で拡大反射鏡部２４が開かれた状態を示した側面図である。
【図５】本発明の第４の実施の形態による携帯電話機の外観を示すもので、（ａ）は着脱操作キー２が携帯電話機本体１ｃから離脱されて拡大光学部３１が収納された状態を示した斜視図、（ｂ）は着脱操作キー２が携帯電話機本体１ｃから離脱された状態で拡大光学部３１及び第２表示部１８がポップアップされた状態を示した側面図である。
【図６】本発明の第４の実施の形態の変形例を示したもので、（ａ）は図５の拡大光学部３１に代わる光学系を示した図、（ｂ）は（ａ）の光学系を用いた携帯電話機本体の外観を示した図である。
【図７】本発明の第５の実施の形態による携帯電話機の外観を示すもので、（ａ）は着脱操作キー２が携帯電話機本体１ｄから離脱されて拡大光学部４２が収納されている状態を示した斜視図、（ｂ）は着脱操作キー２が携帯電話機本体１ｄから離脱された状態で拡大光学部４２が繰り出された状態を示した側面図である。
【図８】本発明の第６の実施の形態による携帯電話機の外観を示すもので、（ａ）は着脱操作キー２が携帯電話機本体１ｅの表面側に装着された状態を示した側面図、（ｂ）は着脱操作キー２が携帯電話機本体１ｅの背面側に装着された状態を示した側面図である。
【図９】本発明による携帯電話機の第６の実施の形態の構成を示すもので、（ａ）は着脱操作キー２ａが携帯電話機本体１ｅより離脱された状態の構成を示すブロック図、（ｂ）は着脱操作キー２ａが携帯電話機本体１ｅの背面側に装着された状態の構成を示すブロック図である。
【図１０】本発明による携帯電話機の第７の実施の形態の構成を示すもので、（ａ）は着脱操作キー２ｂが携帯電話機本体１ｆに装着された状態の構成を示すブロック図、（ｂ）は着脱操作キー２ｂが携帯電話機本体１ｆから離脱された状態の構成を示すブロック図である。
【図１１】図１１は本発明の第８の実施の形態による携帯電話機の外観を示すもので、（ａ）は着脱操作キー２ｂが携帯電話機本体１ｇに装着された状態を示した側面図、（ｂ）は着脱操作キー２ｂが携帯電話機本体１ｇから離脱された状態を示した側面図である。
【図１２】本発明による携帯電話機の第８の実施の形態の構成を示すもので、（ａ）は着脱操作キー２ｂが携帯電話機本体１ｇに装着された状態の構成を示すブロック図、（ｂ）は着脱操作キー２ｂが携帯電話機本体１ｇから離脱された状態の構成を示すブロック図である。
【図１３】本発明による携帯電話機の第９の実施の形態の構成を示すもので、着脱操作キー２が携帯電話機本体１ｈから離脱された状態の構成を示すブロック図である。
【図１４】本発明による携帯電話機の第１０の実施の形態の構成を示すもので、着脱操作キー２１ｃが携帯電話機本体１ｉから離脱された状態の構成を示すブロック図である。
【図１５】本発明の第１１の実施の形態による着脱操作キーの外観構成を示すもので、（ａ）は表面側を示す平面図、（ｂ）は側面図、（ｃ）は背面側を示す平面図である。
【図１６】本発明の第１１の実施の形態による携帯電話機の構成を示すブロック図である。
【図１７】本発明の第１１の実施の形態の変形例による着脱操作キーの外観構成を示すもので、（ａ）は表面側を示す平面図、（ｂ）は側面図、（ｃ）は背面側を示す平面図である。
【図１８】本発明の第１１の実施の形態の変形例による携帯電話機の構成を示すブロック図である。
【図１９】本発明の第１２の実施の形態による携帯電話機の構成を示すブロック図である。
【図２０】本発明の第１２の実施の形態による着脱操作キーの外観構成を示すもので、（ａ）は表面側を示す平面図、（ｂ）は側面図である。
【図２１】本発明の第１２の実施の形態による着脱操作キー２ｆをバーコードリーダとして使用する例を示した図である。
【図２２】本発明の第１３の実施の形態による携帯電話機の構成を示すブロック図である。
【図２３】本発明の第１３の実施の形態による着脱操作キーの外観構成を示すもので、（ａ）は表面側を示す平面図、（ｂ）は側面図である。
【図２４】本発明の第１３の実施の形態による着脱操作キー２ｇを光学ポインティングデバイス（マウス）として使用する例を示した図である。
【符号の説明】
１、１ａ〜１ｋ  携帯電話機本体、
２、２ａ〜２ｇ  着脱操作キー、
３  目、
１１  制御部、
１２  送受信部、
１３  通話用通信部、
１４  情報用通信部、
１５  第１表示メモリ、
１６  第１表示部、
１７  第２表示メモリ、
１８  第２表示部、
１９  携帯電話機能部、
２１  本体可動部、
２３  投影表示部、
２４  拡大反射鏡部、
２５  一次反射鏡部、
３１、３１ａ、４２  拡大光学部、
１０１  キー入力部、
１０２  コード変換部、
１０３  送受信部。
【図１】
0004648551.tif 000004
【図２】
0004648551.tif 000005
【図３】
0004648551.tif 000006
【図４】
0004648551.tif 000007
【図５】
0004648551.tif 000008
【図６】
0004648551.tif 000009
【図７】
0004648551.tif 000010
【図８】
0004648551.tif 000011
【図９】
0004648551.tif 000012
【図１０】
0004648551.tif 000013
【図１１】
0004648551.tif 000014
【図１２】
0004648551.tif 000015
【図１３】
0004648551.tif 000016
【図１４】
0004648551.tif 000017
【図１５】
0004648551.tif 000018
【図１６】
0004648551.tif 000019
【図１７】
0004648551.tif 000020
【図１８】
0004648551.tif 000021
【図１９】
0004648551.tif 000022
【図２０】
0004648551.tif 000023
【図２１】
0004648551.tif 000024
【図２２】
0004648551.tif 000025
【図２３】
0004648551.tif 000026
【図２４】
0004648551.tif 000027